(57)【特許請求の範囲】
【請求項１】
走行部(4)の後方にロータリー式の耕耘作業部(5)を備えると共に、当該耕耘作業部(5)の耕耘軸(18)の左右両側に、当該耕耘軸(18)に外挿される中空の爪軸(29)の外周に複数の耕耘爪(19)を装着してなるロータリー(30a、30b)が着脱自在な状態で取り付けられている管理機において、
前記ロータリー(30a、30b)の爪軸(29)は、外軸(40)と内軸(41)からなる第１の筒部材(38)と、前記外軸(40)と同一長さ及び同一径とした第２の筒部材(39)とで構成すると共に、
内軸(41)を外軸(40)の端部(40a)から突出させた状態として外軸(40)に溶着し、第２の筒部材(39)の端部(39a)を内軸(41)に嵌合させてピン(50)を挿入固定することにより第１の筒部材(38)と第２の筒部材(39)とを固定した一体の爪軸(29)とし、
第１の筒部材(38)と、第２の筒部材(39)の周面には、それぞれの端部(40b、39b)からの距離が等しい位置に軸孔(48、49)をそれぞれ設け、
耕耘軸(18)にロータリー(30a、30b)をそれぞれ装着する場合に、前記軸孔(48、49)と前記耕耘軸(18)に設けた耕耘軸孔(36)とにピン(55)を通して固定することとして左右のロータリー(30a、30b)を交換可能とし、
爪軸(29)内に挿入するパイプ状の挿入部(52)の一端に、挿入部(52)の周面に対して突出させて形成した頭部(53)を設けるとともに、挿入部(52)の周面に装着孔(54)を設けた栓体(31)を、耕耘軸(18)に装着されたロータリー(30a、30b)の開放状態である爪軸(29)の端部に挿入嵌合して、
前記第１の筒部材(38)に設けた軸孔(48)又は前記第２の筒部材(39)に設けた軸孔(49)と、前記栓体(31)に設けた装着孔(54)とを重合させてこれにピン(57)を挿入し、ピン(57)端部に穿設したピン孔(58)に固定ピン(59)を装着することで、爪軸(29)内に栓体(31)を装着固定していることを特徴とする管理機。
【発明の詳細な説明】
【技術分野】
【０００１】
本発明は、管理機に関する。
【背景技術】
【０００２】
従来、管理機の一形態として、耕耘作業部の左右に伸延させた耕耘軸の両端に、爪軸に複数の耕耘爪を装着したロータリーを取り付け、この左右のロータリーを交換することで、耕土面を平坦状に耕起させる内盛耕耘設定と、中央部に溝を形成すると共にその両側に山状の盛土を形成する外盛耕耘設定と、を切替え可能としてなるものがある（例えば、特許文献１参照）。
【特許文献１】特開２００３−１８９７０３号公報
【発明の開示】
【発明が解決しようとする課題】
【０００３】
ところが、上記従来の管理機においては、左右のロータリーを交換可能としたために、爪軸の端部が開放状態となっており、耕耘作業時の飛散土等が、爪軸外端部から軸内部に侵入して軸内を詰まらせ易かった。そして、内盛耕耘設定と外盛耕耘設定とを切替えるために左右のロータリーを交換する際には、爪軸内を栓塞した土の除去作業を行なう必要があったが、この除去作業が困難であり、ロータリーの交換作業を煩雑にしていたという不具合が生じていた。
【課題を解決するための手段】
【０００４】
そこで、本発明における管理機では、走行部の後方にロータリー式の耕耘作業部を備えると共に、当該耕耘作業部の耕耘軸の左右両側に、当該耕耘軸に外挿される中空の爪軸の外周に複数の耕耘爪を装着してなるロータリーが着脱自在な状態で取り付けられている管理機において、前記ロータリーの爪軸は、外軸と内軸からなる第１の筒部材と、前記外軸と同一長さ及び同一径とした第２の筒部材とで構成すると共に、内軸を外軸の端部から突出させた状態として外軸に溶着し、第２の筒部材の端部を内軸に嵌合させてピンを挿入固定することにより第１の筒部材と第２の筒部材とを固定した一体の爪軸とし、第１の筒部材と、第２の筒部材の周面には、それぞれの端部からの距離が等しい位置に軸孔をそれぞれ設け、耕耘軸にロータリーをそれぞれ装着する場合に、前記軸孔と前記耕耘軸に設けた耕耘軸孔とにピンを通して固定することとして左右のロータリーを交換可能とし、爪軸内に挿入するパイプ状の挿入部の一端に、挿入部の周面に対して突出させて形成した頭部を設けるとともに、挿入部の周面に装着孔を設けた栓体を、耕耘軸に装着されたロータリーの開放状態である爪軸の端部に挿入嵌合して、前記第１の筒部材に設けた軸孔又は前記第２の筒部材に設けた軸孔と、前記栓体に設けた装着孔とを重合させてこれにピンを挿入し、ピン端部に穿設したピン孔に固定ピンを装着することで、爪軸内に栓体を装着固定していることを特徴とする管理機を提供せんとするものである。
【発明の効果】
【０００６】
本発明では、走行部の後方にロータリー式の耕耘作業部を備えると共に、当該耕耘作業部の耕耘軸の左右両側に、当該耕耘軸に外挿される中空の爪軸の外周に複数の耕耘爪を装着してなるロータリーが着脱自在な状態で取り付けられている管理機において、前記ロータリーの爪軸は、外軸と内軸からなる第１の筒部材と、前記外軸と同一長さ及び同一径とした第２の筒部材とで構成すると共に、内軸を外軸の端部から突出させた状態として外軸に溶着し、第２の筒部材の端部を内軸に嵌合させてピンを挿入固定することにより第１の筒部材と第２の筒部材とを固定した一体の爪軸とし、第１の筒部材と、第２の筒部材の周面には、それぞれの端部からの距離が等しい位置に軸孔をそれぞれ設け、耕耘軸にロータリーをそれぞれ装着する場合に、前記軸孔と前記耕耘軸に設けた耕耘軸孔とにピンを通して固定することとして左右のロータリーを交換可能とし、爪軸内に挿入するパイプ状の挿入部の一端に、挿入部の周面に対して突出させて形成した頭部を設けるとともに、挿入部の周面に装着孔を設けた栓体を、耕耘軸に装着されたロータリーの開放状態である爪軸の端部に挿入嵌合して、前記第１の筒部材に設けた軸孔又は前記第２の筒部材に設けた軸孔と、前記栓体に設けた装着孔とを重合させてこれにピンを挿入し、ピン端部に穿設したピン孔に固定ピンを装着することで、爪軸内に栓体を装着固定していることを特徴としたため、左右のロータリーを交換して耕耘爪の向きを変更させることで、土壌の耕耘具合を任意に調整する事ができると共に、左右のロータリーを交換可能としたことにより開放状態となる中空の爪軸端部に、栓体を着脱自在に取り付けたことにより、耕耘作業の際、耕耘軸内に土を侵入させ難く、また、詰まらせ難くすることができて、爪軸内を栓塞した土を除去するような煩雑な作業を伴うことなく、容易にロータリーの交換作業を行うことができる。
【発明を実施するための最良の形態】
【０００８】
以下に、本発明の最良の実施形態を、図面を参照しながら説明する。
【０００９】
図１及び図２に示すＡは、本発明に係る管理機を示しており、同管理機Ａは、図１及び図２に示すように、側面視略へ字状に屈曲させて形成したミッションケース２の前方位置に原動機部３を配設するとともに、ミッションケース２の前側下部に走行部４を配設する一方、ミッションケース２の後側下部に耕耘作業部５を配設し、更には、管理機Ａの後部上方位置に操作部６を配設している。
【００１０】
以下に、管理機Ａの各部の構造について説明する。
〔ミッションケース〕
ミッションケース２は、図１及び図２に示すように、管理機Ａの下方に配設した走行部４と、耕耘作業部５との間に、側面視略へ字状に屈曲させた屈曲部10を備えて架設しており、同ミッションケース２は、屈曲部10から前低後高の傾斜状に伸延させた走行部側ケース構成体７と、屈曲部10から前高後低の傾斜状に伸延させた耕耘作業部側ケース構成体８とから構成している。
【００１１】
また、ミッションケース２の屈曲部10の前側上部には、左右幅方向に向けて伸延させた入力軸11をミッションケース２の左側方に向けて突出させた状態で回動自在に取付けており、原動機部からの動力でこの入力軸11を回動することにより、同ミッションケース２の内部に設けた変速機構を介して走行部４や耕耘作業部５に動力を伝えるようにしている。
〔原動機部〕
原動機部３は、ミッションケース２の前側下部に原動機載置台12を取付け、同原動機載置台12の上部に原動機13を載設し、同原動機13の上部に燃料タンク14を取付けて構成している。  なお、図中、15はフロントウエイトを兼ねたバンパーである。  
〔走行部〕
走行部４は、ミッションケース２の走行部側ケース構成体７の下端部近傍に、左右幅方向に向けて伸延させた車軸16を回動自在に取付け、同車軸16の左右端部に車輪17を取り付けて形成している。  
〔耕耘作業部〕
耕耘作業部５は、ミッションケース２の後側下部に左右幅方向に向けて伸延させた耕耘軸18に、爪軸29の周面に複数の耕耘爪19を装着してなるロータリー30を、着脱自在に設けている。
【００１２】
また、ミッションケース２の耕耘作業部側ケース構成体８の中途部には、耕耘作業部５の上方に張り出すように、機体の後方へ向けてロータリーフレーム22を配設しており、耕耘爪19の回動軌跡20の上方を覆うように、同ロータリーフレーム22に耕耘カバー21を取付け、同耕耘カバー21の後端部に耕深調節バー23を昇降自在に取付けて構成している。図中、24は耕深調節バー23を支持するための支持ブラケットである。
〔操作部〕
操作部６は、ミッションケース２の中途部に平面視で略門型状のハンドル25を前低後高の傾斜状に取付け、同ハンドル25の上端部にデッドマンクラッチレバー26を配設するとともに、ハンドル25の前方に変速レバー27を前低後高の傾斜状に配設して構成している。
【００１３】
変速レバー27は、基端部をミッションケース２の右側方に望ませるとともに、おなじくミッションケース２の右側方に設けた変速リンク機構を介して、ミッションケース２内の変速機構を操作し変速可能としている。
〔本発明の要旨〕
上記のような構成において、本発明の要旨は、爪軸29端部に栓体31を嵌合させてなる土詰り防止構造にあり、以下に、図３〜図６を参照しながら説明する。
【００１４】
すなわち、管理機Ａは、図３に示すように、耕耘作業部５において左右方向に伸延させた耕耘軸18の左右端部に、爪軸29の周面に複数の耕耘爪19、19、19、…を装着してなるロータリー30ａ、30ｂを着脱自在に設けると共に、前記爪軸29の外端部内方に、パイプ状の栓体31を着脱自在に取り付けてなる土詰り防止構造を備えている。
【００１５】
以下に、上記した〔耕耘軸18〕と〔ロータリー30〕と〔栓体31〕について、具体的に説明する。
〔耕耘軸18〕
耕耘軸18は、図３に示すように、耕耘作業部側ケース構成体８から左右方向に伸延させて設けており、回転動力を伝達するスプロケット32を備えると共に伝動チェーン33を巻回して、原動機部３からの動力を、ミッションケース２等を介して受け取り、回転駆動される構成としている。図中、34は、スプロケット32及び伝動チェーン33等からなる伝動機構35を内装するチェーンケースである。また、耕耘軸18の左右端部には、後述するロータリー30を装着するための耕耘軸孔36を形成している。
〔ロータリー30〕
図３に示すように、ロータリー30ａ、30ｂは、耕耘軸18の両端にそれぞれ設けられており、筒状に形成した爪軸29の周面に、複数の爪ホルダ37、37、37、…を装着し、この爪ホルダ37に、先端を屈曲させて形成した耕耘爪19を、ボルト51により取り付けて構成している。
【００１６】
以下、ロータリー30ａ及び30ｂにおいて共通する構成要件については、それぞれ同一の符号を付することとすると共に、ロータリー30と表記することにより一括して説明する。
【００１７】
ロータリー30において、爪軸29は、二つの筒部材38，39より構成している。第１の筒部材38は、外軸40と内軸41からなり、外軸40は、端部40ａ近傍の周面に、対向する溶接孔42，42を備えると共に、その内方に、外軸40よりも小径とした内軸41を端部40ａから突出させた状態として嵌合して、溶接孔42，42において溶着することで内軸41と一体に構成している。第１の筒部材38の他端40ｂ縁部には、周面から突出させて耕耘作業部側ケース構成体８の側面と結合させるためのカバー体43を設けている。また、内軸41の、外軸40から突出する突出部の周面には、対向する二つの結合孔45，45を設けている。
【００１８】
第２の筒部材39は、前述の外軸40と略同一長さ及び略同一径の筒状に形成して、端部39ａ近傍の周面には対抗する二つの結合孔46，46を設け、他端39ｂ縁部には、第１の筒部材38と同様にカバー体47を突設させている。
【００１９】
また、第１の筒部材38と、第２の筒部材39の略中央部における周面には、耕耘軸18や後述する栓体31と結合させるための軸孔48，49をそれぞれ貫通形成しており、第１の筒部材38の端部40ｂから軸孔48までの距離と、第２の筒部材39の端部39ｂから軸孔49までの距離は、等しい距離ｔとしている。
【００２０】
カバー体43，47をそれぞれ外方に位置させ、第１の筒部材38内の内軸41の突出部と、第２の筒部材39の端部39ａを嵌合させると共に、結合孔45，46を一直線上に位置させ、これにピン50を挿入固定することにより、両筒部材38，39を固定して一体の爪軸29として構成している。
【００２１】
第１、第２の筒部材38，39には、それぞれ複数の爪ホルダ37を溶着しており、本実施形態においては、それぞれ３個の爪ホルダ37，37，37を設けている。この爪ホルダ37のそれぞれに耕耘爪19を装着してボルト51，51，51，…により固定している。
【００２２】
耕耘爪19は、それぞれ屈曲形状を異ならせて形成しており、ロータリー30ａとロータリー30ｂに、それぞれ対応する耕耘爪19Ａ〜19Ｆ、19ａ〜19ｆを装着させている。
〔栓体31〕
栓体31は、図３〜５に示すように、パイプ状の挿入部52と、挿入部52の一端に周面に対して突出させて形成した頭部53と、より構成し、挿入部52の先端部近傍の周面には、対向する二つの装着孔54，54を形成している。また、挿入部52において、先端部近傍の径を頭部53近傍の径よりも若干小径として、爪軸29内に挿入しやすい形状としている。
【００２３】
以下、栓体31の、具体的な使用形態について図３〜図５を参照して説明する。
【００２４】
図３は、耕土面を平坦状に耕起させる、内盛耕耘設定としたロータリー30を示す説明図であって、内盛耕耘を行なう際は、図３に示すように、耕耘軸18両端の耕耘軸孔36と、爪軸29における第１の筒部材38の軸孔48と、をピン55で固定して、ロータリー30ａ，30ｂをそれぞれ耕耘軸18両端に装着する。この時、耕耘爪19の先端は耕耘作業部側ケース構成体８の方向、内方を向き、耕耘爪19Ａ，19ａが最外部に位置することとなる。
【００２５】
そして、開放状態である爪軸29の端部39ｂに、栓体31を、先端部側から挿入嵌合させ、ピン57で固定して取り付ける。具体的には、図５に示すように、爪軸29内に栓体31を挿入した後、爪軸29の軸孔49と、栓体31の装着孔54とを重合させてこれにピン57を挿入し、ピン57端部に穿設したピン孔58に固定ピン59を装着することで、爪軸29内に栓体31を装着固定している。栓体31は、このように簡単な構成により取り付けているので、爪軸29からの装脱着を容易に行なう事ができる。
【００２６】
図４は、中央部に溝を形成すると共にその両側に山状の盛土を形成する、外盛耕耘設定としたロータリー30を示す説明図であって、ロータリー30を、図３に示す内盛耕耘設定とした状態から、図４に示す外盛耕耘設定へと切換える際には、耕耘軸18からロータリー30を取り外すと共に、爪軸29端部39ｂに装着していた栓体31を取外し、左右のロータリー30ａ，30ｂを交換する。
【００２７】
すなわち、ロータリー30ａの爪軸29の端部39ｂ側を耕耘作業部側ケース構成体８の端部ａに装着し、ロータリー30ｂの爪軸の端部39ｂ側を耕耘作業部側ケース構成体８の端部ｂに装着する。そして、爪軸29の端部40ｂに栓体31を装着する。この時、図４に示すように耕耘爪19の先端は外方を向くと共に、耕耘爪19Ａ，19ａは最内部に位置する。
【００２８】
上記してきたように、爪軸29端部に栓体31を装着したことにより、爪軸29内部への土の侵入を防止する事ができるし、多少土が侵入したとしても、栓体31ごと土を取り出す事が出来るため、除去作業が煩雑になる事がない。また、前述したように、栓体31は、簡単な構成にて爪軸29に取り付けているため装脱着が容易で、ロータリー30の交換作業も楽に行なう事ができる。
【００２９】
また、栓体の形状は上記したものに限られず、図６に示すように、パイプ60にプレート61を溶接した、頭部62を閉塞してなる栓体63としてもよい。このような形状の栓体63とすれば、爪軸29内部への土の進入を確実に防止する事ができる。
【図面の簡単な説明】
【００３０】
【図１】本実施形態における管理機の側面図である。
【図２】本実施形態における管理機の平面図である。
【図３】耕耘作業部におけるロータリーの内盛耕耘設定を示す説明図である。
【図４】耕耘作業部におけるロータリーの外盛耕耘設定を示す説明図である。
【図５】栓体の取付け形態を示す説明図である。
【図６】栓体の別形態を示す説明図である。
【符号の説明】
【００３１】
Ａ  管理機
２  ミッションケース
３  原動機部
４  走行部
５  耕耘作業部
８  耕耘部側ケース構成体
13  原動機
18  耕耘軸
19  耕耘爪
29  爪軸
30  ロータリー
31  栓体
37  爪ホルダ
38  第1の筒部材
39  第２の筒部材
57  ピン
【図１】
0004516040.tif 000002
【図２】
0004516040.tif 000003
【図３】
0004516040.tif 000004
【図４】
0004516040.tif 000005
【図５】
0004516040.tif 000006
【図６】
0004516040.tif 000007